(57)【特許請求の範囲】
【請求項１】
電動駆動機を取り付けた弁の開度を表示するためのものであって、
その電動駆動機は、弁が開側の動作端に至ったときに、その弁にカウンタギヤ列を介し間欠的に連動して作動する開側のカム軸によって開側のリミットスイッチが作動することにより停止するとともに、弁が閉側の動作端に至ったときに、その弁にカウンタギヤ列を介し間欠的に連動して作動する閉側のカム軸によって閉側のリミットスイッチが作動することにより停止するものであり、
そのカム軸の回転を利用して弁の開度を表示する表示部を設けたものとし、
当該表示部が、前記開側のカム軸の先端部に取付けられ、弁が開側の動作端に至ったときの開側のリミットスイッチが作動する際に単一の指示部によって指示される位置に到達する開側表示板と、前記閉側のカム軸の先端部に取付けられ、弁が閉側の動作端に至ったときの閉側のリミットスイッチが作動する際に前記単一の指示部によって指示される位置に到達する閉側表示板であり、
開側表示板が指示部によって指示される位置に到達したときに、閉側表示板は指示部からはずれる位置にくるとともに、閉側表示板が指示部によって指示される位置に到達し、開側表示板は指示部からはずれる位置にくることを特徴とする弁開度指示装置。
【発明の詳細な説明】
【０００１】
【発明の属する技術分野】
本発明は、弁開及び弁閉の表示板を用いて、弁が開位置にあるか閉位置にあるかを表示する装置に関するものである。
【０００２】
【従来の技術】
従来、電動駆動機を取り付けた弁においては、その弁の動きを検出して連動する歯車の回転を減速するための歯車機構減速器を、弁開度指示装置ごとに設け、それによって減速された回転により弁開度目盛に対する指針の位置を移動させて、弁位置を表示していた。
【０００３】
【発明が解決しようとする課題】
ところが、このような弁開度指示装置においては、弁の種類やサイズによって弁開度目盛と指針の関係が一律ではないため、弁開度指示装置ごとに、減速比を算出し、その減速比を達成するために選定された歯車によって構成される減速器を設けなければならなかった。
【０００４】
【課題を解決するための手段】
そこで、本発明は、以上の課題を解決するため、電動駆動機を取り付けた弁の開度を表示するにあたり、その電動駆動機が、弁が開側の動作端に至ったときに、その弁にカウンタギヤ列を介し間欠的に連動して作動する開側のカム軸によって開側のリミットスイッチが作動することにより停止するとともに、弁が閉側の動作端に至ったときに、その弁にカウンタギヤ列を介し間欠的に連動して作動する閉側のカム軸によって閉側のリミットスイッチが作動することにより停止するものであり、そのカム軸の回転を利用して弁の開度を表示する表示部を設けたものとし、当該表示部が、前記開側のカム軸の先端部に取付けられ、弁が開側の動作端に至ったときの開側のリミットスイッチが作動する際に単一の指示部によって指示される位置に到達する開側表示板と、前記閉側のカム軸の先端部に取付けられ、弁が閉側の動作端に至ったときの閉側のリミットスイッチが作動する際に前記単一の指示部によって指示される位置に到達する閉側表示板であり、開側表示板が指示部によって指示される位置に到達したときに、閉側表示板は指示部からはずれる位置にくるとともに、閉側表示板が指示部によって指示される位置に到達し、開側表示板は指示部からはずれる位置にくることを特徴とする弁開度指示装置を採用する。
【０００５】
上記のような、電動駆動機を取り付けた弁においては、弁の破損を防止するために、カム軸の回転を利用してリミットスイッチを作動させることにより電動駆動機を停止させる構造が採用されている。そして、カム軸は、以上のようなリミットスイッチを制御する機能を果たすために、弁が一方の動作端から他方の動作端に至る場合に、弁の動きに連動して±９０度毎の回転を１〜３回動作するように設計されている。
【０００６】
そのため、カム軸の回転を利用して移動する表示部を設ければ、その表示部の回転角度も±２７０度に制限されることになる。従って、弁の動きを減速しなくても表示部を弁開度目盛の範囲内で移動させることが可能になり、弁開度指示装置ごとに新たに歯車機構減速器を設けることを不要とすることが可能となる。
【０００７】
【発明の実施の形態】
以下、本発明の一実施形態を、図面１から３を参照して説明する。
【０００８】
本実施形態における弁開度指示装置は、図１，２に示すように、電動駆動機を取り付けた弁の動きに連動して回転する弁位置検出歯車部Ｘと、その回転を減速して閉側カム部Ｚに伝達する閉側歯車機構減速器Ｙと、その減速された回転を利用して電動駆動機を停止させるリミットスイッチ１９を作動させる閉側カム部Ｚから構成される。
【０００９】
なお、図１，２の左方部分には、開側歯車機構減速器Ａと開側カム部Ｂが設けられているが、前記の閉側部分と同様の構造を有するので、便宜上閉側部分についてのみ説明する。
【００１０】
前述の弁位置検出歯車部Ｘは、弁の動きに連動して回転する弁位置検出歯車１と、その歯車１がピン２によって固定されている駆動軸３と、その駆動軸３の上方端部にピン４によって固定されている駆動歯車５から構成され、弁位置検出歯車１の回転によって駆動歯車５を回転させて、後述する閉側歯車機構減速器Ｙへと回転を伝達する機能を有する。
【００１１】
弁位置検出機構Ｘから回転が伝達される閉側歯車機構減速器Ｙは、複数の歯車の組み合わせからなり、弁位置検出歯車部Ｘから伝達された回転をカウンタギヤ列により減速して後述するカム部Ｚに伝達するという機能を有する。
【００１２】
以下において、閉側歯車機構減速器Ｙの構成を詳述する。
【００１３】
まず弁位置検出歯車部Ｘを構成する駆動歯車５とかみ合うように閉側主歯車７を設ける。その閉側主歯車７は軸方向及び回転方向に自由に滑動できるように前記駆動軸３と平行に設けられた閉側軸９にはめ込まれる。
【００１４】
その閉側軸９の閉側主歯車７の下方には、外周に第１間欠歯車部を設けた閉側クラッチ板１０が圧入固定されており、さらにその下方には閉側スパーギヤ１２及びその閉側スパーギヤ１２にピンによって固定された閉側第２間欠歯車１３が、回転方向に自由に滑動できるようにはめ込まれている。
【００１５】
そして、その閉側クラッチ板１０の外周に設けた第１間欠歯車部及び第２スパーギヤ１２とかみ合うように、第１カウンタピニオンギヤ１１を設ける。
【００１６】
その第１カウンタピニオンギヤ１１は、回転方向に自由に滑動できるように前記閉側軸９と平行に設けられた閉側カム軸１７にはめ込まれている。
【００１７】
そして、その閉側カム軸１７の下方には第２カウンタピニオンギヤ１５がはめ込まれ、ピン１６によって固定されている。その第２カウンタピニオンギヤ１５は前記の閉側軸９にはめ込まれた第２間欠歯車１３と噛み合わせられている。
【００１８】
なお、前記のクラッチ板１０の外周に設けた第１間欠歯車部には、１回転で第１カウンタピニオンギヤ１１を２歯分だけ回転させる間欠歯車が切られている。
【００１９】
一方、第１カウンタピニオンギヤ１１の外周には、８枚の歯が加工されているので、クラッチ板１０が１回転することにより、第１カウンタピニオンギヤ１１は９０度回転する。
【００２０】
また、第２間欠歯車１３は、クラッチ板１０の外周に設けた第１間欠歯車部と同様の間欠的な歯が切られている。
【００２１】
以上のような構成の閉側歯車機構減速器Ｙにおいては、閉側軸９の上方から閉側ナット８による締め付けをなすことによって、前記閉側主歯車７を閉側クラッチ板１０に押し付け、それによって生じる摩擦によって、閉側主歯車７の回転に伴い閉側クラッチ板１０も一体となって回転することになる。
【００２２】
その回転によって、閉側クラッチ板１０の外周の第１間欠歯車部とかみ合っている第１カウンタピニオンギヤ１１が回転し、その第１カウンタピニオンギヤ１１とかみ合っている閉側軸９の下方に設けた閉側スパーギヤ１２及び閉側第２間欠歯車１３も回転する。
【００２３】
それに伴って、その閉側第２間欠歯車１３とかみ合っている第２カウンタピニオンギヤ１５も回転し、その第２カウンタピニオンギヤ１５がピン１６によって固定されている閉側カム軸１７も回転することになる。
【００２４】
すなわち、弁位置検出歯車部Ｘの駆動歯車５から伝達される回転は、閉側主歯車７、閉側クラッチ板１０、第１カウンタピニオンギヤ１１、閉側スパーギヤ１２と閉側第２間欠歯車１３、第２カウンタピニオンギヤ１５からなるカウンタギヤ列を経て減速しつつ、後述の閉側カム部Ｚを構成する閉側カム軸１７に伝達されるのである。
【００２５】
なお、弁が開位置から閉位置に至った場合に弁位置検出歯車１が回転した角度に対して、カム軸を９０゜毎で１〜３回回転させるような間欠動作となるように閉側歯車機構減速器Ｙの歯車の選定が行われている。
【００２６】
上述のように、閉側歯車機構減速器Ｙによって減速された回転が伝達される閉側カム部Ｚは、伝達された回転により回転する閉側カム軸１７と、その閉側カム軸１７に固定された閉側カム１８と、その閉側カム１８を上方に向けて延長した閉側先端部２４から構成されており、その閉側先端部２４には閉側表示板２０が取り付けられている。
【００２７】
その閉側カム部Ｚは、弁が開位置から閉位置に至る場合に、カム軸が９０゜毎で１〜３回回転することによりリミットスイッチ１９を作動させるという機能とともに、その９０゜毎に制限された回転を利用して、閉側先端部２４に固定した閉側表示板２０を移動させることにより、弁の位置を表示するという機能を有する。
【００２８】
以上のような構成を採用する弁開度指示装置において、弁を開位置から閉位置に移動させる場合について説明する。
【００２９】
まず、弁が開位置にある状態において、図３ａに示すように、開側表示板２１を指示部２３によって指示される位置にくるように、閉側表示板２０を指示部２３から指示されない位置にくるように、それぞれ開側カム２５の開側先端部２６、閉側カム１８の閉側先端部２４に固定する。
【００３０】
その状態から弁を電動駆動機によって閉位置に移動させる。その弁の動きに連動して生じる弁位置検出歯車部Ｘからの回転が、閉側歯車機構減速器Ｙに伝達され、そのカウンタギヤ列を経て減速されて、閉側カム軸１７が、図１、３における反時計回りに、例として１８０度回転することになる。
【００３１】
そして、閉側カム軸１７とともに、それに固定された閉側カム１８及びその閉側先端部２４も回転するので、閉側先端部２４に固定された表示板２０は、図３のａの状態からｂの状態を経て、ｃの状態へと移行する。すなわち、両表示板は、図３ａの状態から反時計回りに１８０度回転し、閉側表示板２０が指示部２３によって指示される位置に到達し、開側表示板２１は指示部２３からはずれる位置にくることになる。
【００３２】
なお、上記の場合と反対に、閉位置から開位置へと弁が移動する場合には、両表示板２０、２１は時計回りに１８０度回転して、図３ｃの状態から図３ａの状態へと移行することになる。
【００３３】
以上のように、電動駆動機を取り付けた弁においては、閉側カム軸１７の回転により閉側リミットスイッチ１９を作動させ電動駆動機を停止させる構造が採用されている。そのため、閉側カム軸１７は、弁が一方の動作端から他方の動作端に至る場合に、９０゜毎で１〜３回回転するように設計されている。
【００３４】
従って、そのような閉側カム軸１７に固定された閉側カム１８の閉側先端部２４に閉側表示板２０を固定すれば、その閉側表示板２０の回転角度も２７０度に制限されるので、閉側表示板２０を弁開度目盛の範囲内で移動させることが可能になり、弁位置指示装置ごとに新たな歯車機構減速器を設ける必要がなくなる。
【００３５】
その他、各部の具体的構成についても上記実施形態に限られるものではなく、本発明の趣旨を逸脱しない範囲で種々変形が可能である。
【００３６】
【発明の効果】
本発明は、以上説明したような形態で実施され、以下に記載されるような効果を奏する。
【００３７】
すなわち、電動駆動機を取り付けた弁においては、弁の破損を防止するために、カム軸の回転を利用してリミットスイッチを作動させることにより電動駆動機を停止させるという構造が採用されている。
【００３８】
カム軸は、以上のようなリミットスイッチを制御する機能を果たすために、弁が一方の動作端から他方の動作端に至る場合に、その弁にカウンタギヤ列を介して間欠的に連動して２７０度回転するように設計されている。
【００３９】
とすれば、そのようなカム軸の回転を利用して移動する表示部を設ければ、その表示部の回転角度も２７０度に制限されることになる。
【００４０】
従って、弁の動きを減速しなくても表示部を弁開度目盛の範囲内で移動させることが可能になり、弁開度指示装置ごとに新たに歯車機構減速器を設ける必要をなくして、安価で経済的な設計を実現することが可能となる。
【図面の簡単な説明】
【図１】本発明の一実施形態を示す弁開度指示機構の上方からの断面図。
【図２】同実施形態の部分開断面図。
【図３】同実施形態の弁の各位置における表示板の位置を示す図。
【符号の説明】
１７…カム軸（閉側カム軸）
１９…リミットスイッチ（閉側リミットスイッチ）
２０、２１…表示部（閉側表示板、開側表示板）
【図１】
0004444526.tif 000002
【図２】
0004444526.tif 000003
【図３】
0004444526.tif 000004